(57)【要約】      （修正有）【課題】説明に行き詰ったプレゼンターを支援するプレゼンテーション環境を実現する。【解決手段】プレゼンテーション支援システムは、プレゼンテーション用の複数の画像を一つずつ順に表示装置に表示させる表示処理を受け持ち、補足情報が関連付けられた画像である可変画像に対する表示処理モードとして、当該補足情報を表示させない通常モードおよび当該補足情報を当該可変画像と合せて表示させる支援モードを有する表示処理部と、入力音声の大きさが一定時間にわたって閾値以下である沈黙状態を検知する音声解析部と、可変画像について通常モードによる表示が行われている期間中に沈黙状態が検知された場合に、通常モードから支援モードへの切替えを表示処理部に実行させる表示処理制御部と、を備える。【選択図】図３
2012150616.tif 000002
【特許請求の範囲】
【請求項１】
プレゼンテーション用の複数の画像を一つずつ順に表示装置に表示させる表示処理を受け持ち、補足情報が関連付けられた画像である可変画像に対する表示処理モードとして、当該補足情報を表示させない通常モードおよび当該補足情報を当該可変画像と合せて表示させる支援モードを有する表示処理部と、
マイクロホンよって入力される音声の大きさが一定時間にわたって閾値以下である沈黙状態を検知する音声解析部と、
前記可変画像について前記通常モードによる表示が行われている期間中に前記沈黙状態が検知された場合に、前記通常モードから前記支援モードへの切替えを前記表示処理部に実行させる表示処理制御部と、を備える
ことを特徴とするプレゼンテーション支援システム。
【請求項２】
カメラよって入力される撮影画像に基づいて、プレゼンターが前記表示装置によって表示された画像内の同一部分を一定時間にわたって指し示している不動状態を検知する画像解析部をさらに備え、
前記表示処理制御部は、前記可変画像について前記通常モードによる表示が行われている期間中に前記不動状態が検知された場合に、前記通常モードから前記支援モードへの切替えを前記表示処理部に実行させる
請求項１記載のプレゼンテーション支援システム。
【請求項３】
前記画像解析部は、プレゼンターが表示処理モードの切替えを指示するための操作ボタンであるマークが前記可変画像と合せて表示される期間において、前記マークを指し示す操作の有無を判定し、
前記表示処理制御部は、前記可変画像について前記通常モードによる表示が行われている期間において、前記沈黙状態または前記不動状態が検知されたときに、表示処理モードの切替えを前記表示処理部に実行させるのに先立って前記マークを表示させる処理を前記表示処理部に実行させ、その後に前記マークを指し示す操作があったと判定された場合に、前記通常モードから前記支援モードへの切替えを前記表示処理部に実行させる
請求項２記載のプレゼンテーション支援システム。
【請求項４】
前記マイクロホンによる音声入力が可能であり、前記音声解析部および前記沈黙状態が検知された旨を前記表示処理制御部に通知する通信処理部を有した、ネットワーク通信の可能な画像形成装置と、
前記表示装置の接続が可能であり、前記表示処理部および前記表示処理制御部を有した、ネットワーク通信の可能な情報機器と、を備える
請求項１記載のプレゼンテーション支援システム。
【請求項５】
前記マイクロホンによる音声入力および前記カメラによる前記撮影画像の入力が可能であり、前記音声解析部、前記画像解析部、および前記沈黙状態または前記不動状態が検知された旨を前記表示処理制御部に通知する通信処理部を有した、ネットワーク通信の可能な画像形成装置と、
前記表示装置の接続が可能であり、前記表示処理部および前記表示処理制御部を有した、ネットワーク通信の可能な情報機器と、を備える
請求項２または３記載のプレゼンテーション支援システム。
【請求項６】
プレゼンテーション用の複数の画像を一つずつ順に表示装置に表示させる表示処理を受け持ち、補足情報が関連付けられた画像である可変画像に対する表示処理モードとして、当該補足情報を表示させない通常モードおよび当該補足情報を当該可変画像と合せて表示させる支援モードを有した表示処理部、および前記可変画像について前記通常モードによる表示が行われている期間中に前記沈黙状態が検知された場合に、前記通常モードから前記支援モードへの切替えを前記表示処理部に実行させる表示処理制御部を備える情報機器とネットワークを介して通信可能に接続される画像形成装置であって、
マイクロホンによる音声入力およびカメラによる撮影画像の入力が可能であり、
前記マイクロホンよって入力される音声の大きさが一定時間にわたって閾値以下である沈黙状態を検知する音声解析部と、
前記撮影画像に基づいて、プレゼンターが外部の表示装置によって表示された画像内の同一部分を一定時間にわたって指し示している不動状態を検知する画像解析部と、
前記沈黙状態または前記不動状態が検知された旨を前記表示処理制御部に通知する通信処理部と、を備える
ことを特徴とする画像形成装置。
【請求項７】
プレゼンテーション支援装置であって、
プレゼンテーション用の複数の画像を一つずつ順に表示装置に表示させる表示処理を受け持ち、補足情報が関連付けられた画像である可変画像に対する表示処理モードとして、当該補足情報を表示させない通常モードおよび当該補足情報を当該可変画像と合せて表示させる支援モードを有する表示処理部と、
マイクロホンよって入力される音声の大きさが一定時間にわたって閾値以下である沈黙状態を検知する音声解析部と、
カメラよって入力される撮影画像に基づいて、前記表示装置によって表示された画像内の同一部分をプレゼンターが一定時間にわたって指し示している不動状態を検知する画像解析部と、
前記可変画像について前記通常モードによる表示が行われている期間中に前記沈黙状態または前記不動状態が検知された場合に、前記通常モードから前記支援モードへの切替えを前記表示処理部に実行させる表示処理制御部と、を備える
ことを特徴とするプレゼンテーション支援装置。
【請求項８】
前記画像解析部は、プレゼンターが表示処理モードの切替えを指示するための操作ボタンとして前記可変画像と合せてマークが表示される期間において、前記マークを指し示す操作の有無を判定し、
前記表示処理制御部は、前記可変画像について前記通常モードによる表示が行われている期間において、前記沈黙状態または前記不動状態が検知されたときに、表示処理モードの切替えを前記表示処理部に実行させるのに先立って前記マークを表示させる処理を前記表示処理部に実行させ、その後に前記マークを指し示す操作があったと判定された場合に、前記通常モードから前記支援モードへの切替えを前記表示処理部に実行させる
請求項７記載のプレゼンテーション支援装置。
【請求項９】
コンピュータを備えた情報機器をプレゼンテーション支援装置として動作させるコンピュータプログラムであって、
前記コンピュータによって実行されたときに、
プレゼンテーション用の複数の画像を一つずつ順に表示装置に表示させる表示処理を受け持ち、補足情報が関連付けられた画像である可変画像に対する表示処理モードとして、当該補足情報を表示させない通常モードおよび当該補足情報を当該可変画像と合せて表示させる支援モードを有する表示処理部と、
マイクロホンよって入力される音声の大きさが一定時間にわたって閾値以下である沈黙状態を検知する音声解析部と、
カメラよって入力される撮影画像に基づいて、前記表示装置によって表示された画像内の同一部分をプレゼンターが一定時間にわたって指し示している不動状態を検知する画像解析部と、
前記可変画像について前記通常モードによる表示が行われている期間中に前記沈黙状態または前記不動状態が検知された場合に、前記通常モードから前記支援モードへの切替えを前記表示処理部に実行させる表示処理制御部と、を前記コンピュータに実現させる
ことを特徴とするコンピュータプログラム。
【発明の詳細な説明】
【技術分野】
【０００１】
本発明は、プレゼンテーションを行うプレゼンターを支援するシステムおよび装置に関する。
【背景技術】
【０００２】
一般に、プレゼンテーションにおいて、プレゼンターは予め準備したプレゼンテーション用の複数の画像（スライド）を順に聴衆に見せながら発表を進める。プロジェクタや大画面ディスプレイを用いて画像を大きく表示し、指し棒やレーザーポインターを用いて画像内の注目してもらいたい箇所を指し示しながら発話するプレゼンテーションの形態が広く知られている。
【０００３】
従来、プレゼンテーションが予定時間どおりに終わるようにスライドの表示を自動制御するプレゼンテーション支援システムが提案されている（特許文献１）。このシステムは、複数のスライドのそれぞれに定められた予定経過時間とプレゼンテーション経過時間との比較によって進行状況を判断し、進行が遅れている場合に、属性情報が示す重要度の低いスライドについてその表示を省略したり、時間を費やすアニメーション表示を取り止めたりする。また、このシステムは、進行が予定よりも早い場合に、表示中のスライドに関連付けられている時間調整のための補足資料を表示する。これにより、プレゼンターは進行状況を意識することなく、プレゼンテーションをほぼ予定どおりに終わらせることができる。
【先行技術文献】
【特許文献】
【０００４】
【特許文献１】特開２００８−０３３５５０号公報
【発明の概要】
【発明が解決しようとする課題】
【０００５】
プレゼンターが説明すべきことを度忘れしたり緊張のために黙り込んだりしてプレゼンテーションの進行が止まることがある。プレゼンターが直ぐに説明を再開できればよいが、プレゼンターが焦ってなかなか説明を再開できない状況に陥る場合が見受けられる。このような状況において、上述の先行技術は有効ではなかった。すなわち、当初は表示する予定であった画像（スライド）の表示を自動的に間引いて時間調整をしたとしても、間引かれない画像が表示された後にプレゼンターが本来の説明を行い得るとは限らない。表示が切り替わっても話すべきこと思い出せないかもしれない。
【０００６】
本発明は、このような事情に鑑み、説明に行き詰ったプレゼンターを支援するプレゼンテーション環境の提供を目的としている。
【課題を解決するための手段】
【０００７】
上記目的を達成するプレゼンテーション支援システムは、プレゼンテーション用の複数の画像を一つずつ順に表示装置に表示させる表示処理を受け持ち、補足情報が関連付けられた画像である可変画像に対する表示処理モードとして、当該補足情報を表示させない通常モードおよび当該補足情報を当該可変画像と合せて表示させる支援モードを有する表示処理部と、マイクロホンよって入力される音声の大きさが一定時間にわたって閾値以下である沈黙状態を検知する音声解析部と、前記可変画像について前記通常モードによる表示が行われている期間中に前記沈黙状態が検知された場合に、前記通常モードから前記支援モードへの切替えを前記表示処理部に実行させる表示処理制御部と、を備える。
【０００８】
他の態様において、プレゼンテーション支援システムは、カメラよって入力される撮影画像に基づいて、プレゼンターが前記表示装置によって表示された画像内の同一部分を一定時間にわたって指し示している不動状態を検知する画像解析部をさらに備える。そして、前記表示処理制御部は、前記可変画像について前記通常モードによる表示が行われている期間中に前記不動状態が検知された場合に、前記通常モードから前記支援モードへの切替えを前記表示処理部に実行させる。
【発明の効果】
【０００９】
本発明によれば、プレゼンターが説明に行き詰った場合に、表示中の画像と合せて補足情報を表示して視覚情報量を増やし、それによって説明を補うことができる。
【図面の簡単な説明】
【００１０】
【図１】本発明の実施形態に係る情報システムのハードウェア構成を示す図である。
【図２】プレゼンテーション支援システムの構成を示す図である。
【図３】通常モードおよび支援モードのそれぞれにおける表示内容の第１例を示す図である。
【図４】可変画像の作成に用いられるユーザーインタフェースの一例を示す図である。
【図５】通常モードおよび支援モードのそれぞれにおける表示内容の第２例を示す図である。
【図６】通常モードおよび支援モードのそれぞれにおける表示内容の第３例を示す図である。
【図７】支援モードにおける表示内容の第４例を示す図である。
【図８】表示処理モードの切替え指示のためのマークの表示例を示す図である。
【図９】マーク座標の設定の例を示す図である。
【図１０】モニター用のディスプレイにおけるマークの表示例を示す図である。
【図１１】プレゼンテーション支援システムにおけるＭＦＰの動作の流れを示す図である。
【図１２】プレゼンテーション支援システムにおけるパーソナルコンピュータの動作の流れを示す図である。
【図１３】プレゼンテーション支援システムの動作の流れの他の例を示す図である。
【図１４】プレゼンテーション支援装置２ｂの機能構成を示す図である。
【発明を実施するための形態】
【００１１】
プレゼンテーションは図１に例示される複数の機器を用いて行われる。プレゼンテーションに際して、パーソナルコンピュータ２に接続されたプロジェクタ３によってスクリーン７に画像８が投影される。プレゼンター９は、聴衆に向けて発話しながら、必要に応じて図示しない指し棒またはレーザーポインターを用いて画像８内の聴衆に注目してもらいたい箇所を指し示す。パーソナルコンピュータ２には、複数のページを有したドキュメントの各ページをスライドとしてプロジェクタ３に表示させるプレゼンテーション用のソフトウェアがインストールされている。本実施形態では、パーソナルコンピュータ２とＭＦＰ(Multifunction Peripheral)１とのＬＡＮ(Local Area Network)６を介した連携によって、プレゼンター９に対する支援が行われる。
【００１２】
ＭＦＰ１は、画像形成装置としての機能であるコピーおよびネットワークプリンティングに加えて、イメージ入力（スキャニング）、ファクシミリ通信、電子メール送受信、ドキュメントの保存などの多様な機能を有したビジネスユースの情報機器である。ＭＦＰ１は、マイクロホン４による音声入力およびデジタルカメラ５による撮影画像の入力が可能に構成されている。
【００１３】
図２はプレゼンテーション支援システム１００の構成を示す。プレゼンテーション支援システム１００は、音声入力部１４、カメラ制御部１５、音声解析部１６、画像解析部１７、通知処理部１８、表示処理部２１、および表示処理制御部２２を有する。これら要素のうち、音声入力部１４、カメラ制御部１５、音声解析部１６、画像解析部１７、および通知処理部１８は、ＭＦＰ１に備わるＣＰＵ（central processing unit）が所定のコンピュータプログラムを実行することによって実現される機能要素である。そして、残りの要素である表示処理部２１および表示処理制御部２２は、パーソナルコンピュータ２に備わるＣＰＵが所定のコンピュータプログラムを実行することによって実現される機能要素である。
【００１４】
音声入力部１４は、マイクロホン４から音声入力インタフェースを経て入力される音声データを、ストレージとしてＭＦＰ１に内蔵されたハードディスクドライブ（以下、ＨＤＤという）１９に逐次格納する。ここで、マイクロホン４はプレゼンター９の声を主に捉えるようにプレゼンテーション会場内に配置されているものとする。マイクロホン４の形式は据置き型でもプレゼンター９の衣服に装着可能な携帯型でもよく、信号伝送の形態は有線でも無線でもよい。
【００１５】
カメラ制御部１５は、デジタルカメラ５に撮影を指示し、デジタルカメラ５から入力された撮影データをＨＤＤ１９に格納する。ここで、デジタルカメラ５はスクリーン７を撮影するように配置されているものとする。デジタルカメラ５とＭＦＰ１との接続にはＵＳＢケーブルを用いることができる。
【００１６】
音声解析部１６は、音声入力部１４が格納した音声データをＨＤＤ１９から読み出して入力音声の大きさが一定時間にわたって閾値以下である沈黙状態を検知する。沈黙状態は、プレゼンター９が説明に行き詰ったとみなす状態である。例えば、３〜５秒にわたって入力音声が小さいときに、音声解析部１６は沈黙状態であると判定してその旨を通知処理部１８に伝える。
【００１７】
画像解析部１７は、カメラ制御部１５が周期的に格納した撮影データに基づいて、スクリーン７に表示された画像内の同一部分をプレゼンター９が一定時間にわたって指し示している不動状態を検知する。不動状態もプレゼンター９が説明に行き詰ったとみなす状態である。例えば、３〜５秒にわたって指し棒の先端またはレーザーポインターのスポットの位置が所定の小領域内に留まっているときに、画像解析部１７は不動状態であると判定してその旨を通知処理部１８に伝える。また、画像解析部１７は、プレゼンター９が表示処理モードの切替えを指示するための操作ボタンであるマークがスクリーン７上に表示される期間において、マークをプレゼンター９が指し示す操作の有無を判定し、判定結果を通知処理部１８に伝える。
【００１８】
通知処理部１８は、沈黙状態が検知されたときにはその旨を、不動状態が検知されたときにはその旨を、補足情報の表示指示として通信インタフェースを介してパーソナルコンピュータ２の表示処理制御部２２に通知する。また、通知処理部１８は、表示処理制御部２２から通知される上記マークの表示位置情報であるマーク座標を画像解析部１７に引き渡し、画像解析部１７からのマークに関する判定結果を示すマーク指し示し通知を表示処理制御部２２に送る。
【００１９】
パーソナルコンピュータ２の表示処理部２１は、プレゼンテーション用の複数の画像（画像８を含む）を一つずつ順にプロジェクタ３およびモニター用ディスプレイ２７に表示させる表示処理を受け持つ。表示処理部２１は、支援動作に関わる後述の補足情報が関連付けられた画像である可変画像に対する表示処理モードとして、当該補足情報を表示させない通常モードおよび当該補足情報を当該可変画像と合せて表示させる支援モードを有する。なお、可変画像でない画像には通常モードが適用される。
【００２０】
そして、表示処理制御部２２は、可変画像について通常モードによる表示が行われている期間において、沈黙状態または不動状態が検知されたときに、表示処理モードの切替えを表示処理部２１に実行させる。ただし、本実施形態では、表示処理制御部２２は、表示処理モードの切替えに先立って上記マークを表示させる処理を表示処理部２１に実行させ、その後にマークを指し示す操作があったと判定された場合に、通常モードから支援モードへの切替えを表示処理部２１に実行させる。マークはスクリーン７上およびディスプレイ２７の表示面上にそれぞれ表示され、ディスプレイ２７において表示されたマークをマウス２９のようなポインティングデバイスによって指し示す操作を、表示処理制御部２２はスクリーン７上でマークを指し示す操作と同様に扱う。
【００２１】
図３は通常モードおよび支援モードのそれぞれにおける表示内容の第１例を示す。図３に例示される画像８は主に文字で情報を伝えるテキスト画像であり、複数のページを有するドキュメントの１ページに該当する。通常モードでは、伝えるべき情報の表題を表わす文字列２０１、および情報の要点を表わす文字列２０２，２０３が表示される。プレゼンター９は画像８を参照しながら発話によって聴衆に所定の情報を伝える。一方、沈黙状態または不動状態が検知された場合に通常モードに代わって適用される支援モードでは、文字列２０２，２０３に関する詳しい内容を表わす文字列３０１，３０２が補足情報として文字列２０１，２０２，２０３とともに表示される。補足情報が表示されることにより、プレゼンター９は補足情報を読み上げてプレゼンテーションを進めることができる。また、プレゼンター９の発話が途絶えたままであったとしても、聴衆は補足情報の表示によってプレゼンター９が伝えたい情報をある程度まで理解することができる。
【００２２】
通常モードと支援モードとで各ページについて表示される情報の量が異なるドキュメントは、例えば図４に示されるプルダウンリスト５０１のような手法を用いて行単位で文字列の表示レベルを設定可能な文書作成アプリケーションを用いることによって作成することができる。図４のプルダウンリスト５０１では、通常モードおよび支援モードの両方で表示されるレベル１（原稿レベル）と、支援モードでのみ表示されるレベル２（補足説明レベル）とを選択することができる。
【００２３】
図５は通常モードおよび支援モードのそれぞれにおける表示内容の第２例を示す。通常モードでは、図３の例と同様に、伝えるべき情報の表題を表わす文字列２０１、および情報の要点を表わす文字列２０２，２０３が表示される。一方、支援モードでは、文字列２０２，２０３に関わる詳しい内容を表わす文字列を含む吹き出し３０１ｂ，３０２ｂが補足情報として文字列２０１，２０２，２０３とともに表示される。
【００２４】
図６は通常モードおよび支援モードのそれぞれにおける表示内容の第３例を示す。図６（Ａ）のように、通常モードでは画像８ｂがスクリーン７上に表示され、支援モードでは画像８ｂに例えばハイパーリンクによって関連づけられている資料８１が補足情報として画像８ｂと並べて表示される。図６（Ｂ）は図６（Ａ）の変形例である。図６（Ｂ）のように、支援モードにおいて画像８ｂと資料８１とを１ページにまとめる２イン１の形式で表示してもよい。
【００２５】
図７は支援モードにおける表示内容の第４例を示す。本例では、通常モードおよび支援モードの両方で表示される画像８ｂに複数のページ８１，８２，８３からなる資料が補足情報として関連付けられている。支援モードでは、画像８ｂと合せて補足情報のうちの一つのページが表示され、さらにページ切替えボタン９１，９２が表示される。プレゼンター９が指し棒またはレーザーポインターによってページ切替えボタン９１，９２の一方を指し示すと、表示される補足情報のページが図示のように切り替わる。
【００２６】
図８は表示処理モードの切替え指示のためのマークの表示例を示す。図８では画像８の周縁部に重ねて円形のマーク９５が表示されている。プレゼンター９がマーク９５を指し示すと、上述のとおり通常モードから支援モードへ切り替わり、補足情報が表示される。プレゼンター９は、補足情報の表示が不要である（補足情報は非表示のままでよい）と判断した場合は、マーク９５を指し示すことなくプレゼンテーションを進めればよい。マーク９５の表示位置は、例えば図９のように画像８の左下端を原点とする座標系における座標によって特定され、画像解析部１７に通知される。座標の単位は投影画像の解像度（ピクセル）、原稿サイズ(ｍｍ）などとすることができる。
【００２７】
スクリーン７上でのマーク９５の表示と並行して、図１０のようにモニター用のディスプレイ２７においてもマーク９５ｂが表示される。上述のとおりマーク９５ｂを指し示すマウス操作（マーク押下という）が行われた場合にも通常モードから支援モードへ切り替わる。
【００２８】
図１１はプレゼンテーション支援システムにおけるＭＦＰ１の動作の流れを示す。
【００２９】
ＭＦＰ１は音声データおよび撮影データを取り込んで解析する（Ｓ１１，Ｓ１２）。沈黙状態または不動状態であれば（Ｓ１３でＹＥＳ）、補足情報の表示指示をパーソナルコンピュータ２へ送り（Ｓ１４）、マーク座標の通知の有無をチェックする（Ｓ１５）。マーク座標の通知を受けた後（Ｓ１６でＹＥＳ）、デジタルカメラ５に定期的（例えば、１秒ごと）にスクリーン７を撮影するよう指示して撮影データを受け取り、マーク９５を指し示す操作の有無を時系列のデータの比較により判定する画像解析を行う（Ｓ１７，Ｓ１８，Ｓ１９）。マーク９５を指し示す操作があれば（Ｓ２０でＹＥＳ）、マーク指し示し通知をパーソナルコンピュータ２へ送る（Ｓ２１）。
【００３０】
図１２はプレゼンテーション支援システムにおけるパーソナルコンピュータ２の動作の流れを示す。
【００３１】
パーソナルコンピュータ２は、ＭＦＰ１からの補足情報の表示指示を受けると（Ｓ３１，Ｓ３２）、現在表示されている画像（ページ）に補足情報が関連付けられているかどうか、すなわち表示されている画像が補足情報の非表示／表示の選択が可能な可変画像かどうかをチェック（Ｓ３３，Ｓ３４）。可変画像であれば、マーク９５、９５ｂをプロジェクタ３およびディスプレイ２７にそれぞれ表示させ（Ｓ３５）、マーク座標をＭＦＰ１へ通知する（Ｓ３６）。そして、ディスプレイ２７におけるマーク９５ｂを指し示すマーク押下またはＭＦＰ１からのマーク指し示し通知があれば（Ｓ３８，Ｓ３９，Ｓ４０）、表示処理モードを通常モードから支援モードへ切り替え、補足情報を表示させる（Ｓ４１）。その後、支援モードへ切替えたことを記憶しておき、表示中の画像に代えて他の画像へ表示順序に従って表示対象が切り替わっても、切り替わった画像が可変画像であればプレゼンター９の状態にかかわらず、補足情報を表示させる（Ｓ４２）。つまり、一旦、通常モードから支援モードへ切り替わると、その後において支援モードが維持される。
【００３２】
以上の実施形態では、マーク９５、９５ｂの表示によって表示処理モードの切り替えの要否をプレゼンター９が決定する動作を例示したが、マーク９５、９５ｂを表示せずに沈黙状態または不動状態の検知に呼応して通常モードから支援モードに切り替えるようにしてもよい。また、沈黙状態および不動状態の一方のみを検知するようにしてもよい。例として、不動状態を検知したときに表示処理モードを切り替えるように構成した場合のＭＦＰ１およびパソコン２の動作の流れを図１３に示す。
【００３３】
図１３において、ＭＦＰ１はデジタルカメラ５に撮影を指示し（Ｓ５１）、入力された撮影データを取り込んで解析する（Ｓ５２、Ｓ５３）。不動状態であれば（Ｓ５４でＹＥＳ）、補足情報の表示指示をパーソナルコンピュータ２へ送る。不動状態でなければ（Ｓ５４でＮＯ）、ステップＳ５１に戻って撮影データに基づくプレゼンター９の状態の監視を続ける。一方、パーソナルコンピュータ２は、ＭＦＰ１からの補足情報の表示指示を受けると（Ｓ５６、Ｓ５７）、現在において表示されている画像（ページ）が可変画像かどうかをチェックする（Ｓ５８）。可変画像であれば、表示処理モードを通常モードから支援モードへ切り替え、補足情報をプロジェクタ３に表示させる（Ｓ５９、Ｓ６０）。
【００３４】
図１４はプレゼンテーション支援装置２ｂの機能構成を示す。上述の例においてＭＦＰ１とパーソナルコンピュータ２とに分散されていたプレゼンテーション支援システム１００の機能を一つの情報機器に集約することができる。図１４ではプレゼンター９を支援する機能が１台のパーソナルコンピュータに集約され、このパーソナルコンピュータがプレゼンテーション支援装置２ｂとして動作する。
【００３５】
プレゼンテーション支援装置２ｂでは、通信処理部１８が省略され、カメラ制御部１５への撮影要求を表示処理制御部２２ｂが行う。この点を除いて、表示処理制御部２２ｂの機能は図２の表示処理制御部２２の機能と同様である。なお、図１４の構成では、聴衆に対する表示のための表示装置として、プロジェクタ３に代えて大型ディスイプレイ３ｂが用いられている。
【００３６】
以上の実施形態において、沈黙状態および不動状態の検知の基準となる時間は上記の３〜５秒に限定されず、実情に応じて適宜選定すればよい。沈黙状態と不動状態とで長さの異なる時間を設定してもよい。
【００３７】
上述の実施形態によれば、マーク９５，９５ｂが表示されるので、プレゼンター９は補足情報の非表示／表示の切替えによる表示情報量の調整を自己の判断に基づいて行うことができる。
【符号の説明】
【００３８】
１００    プレゼンテーション支援システム
１    ＭＦＰ（画像形成装置）
２    パーソナルコンピュータ（情報機器）
２ｂ    プレゼンテーション支援装置
８，８ｂ    画像（可変画像）
３    プロジェクタ（表示装置）
３ｂ    大型ディスプレイ（表示装置）
２１    表示処理部
４    マイクロホン
１６    音声解析部
２２，２２ｂ    表示処理制御部
５    デジタルカメラ
１７    画像解析部
９５，９５ｂ    マーク
【図１】
2012150616.tif 000003
【図２】
2012150616.tif 000004
【図３】
2012150616.tif 000005
【図４】
2012150616.tif 000006
【図５】
2012150616.tif 000007
【図６】
2012150616.tif 000008
【図７】
2012150616.tif 000009
【図８】
2012150616.tif 000010
【図９】
2012150616.tif 000011
【図１０】
2012150616.tif 000012
【図１１】
2012150616.tif 000013
【図１２】
2012150616.tif 000014
【図１３】
2012150616.tif 000015
【図１４】
2012150616.tif 000016